【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
店舗端末から取得申請され、登記簿を取得するために申請中である申請情報を管理する登記簿管理サーバであって、
前記店舗端末から、該取得申請する申請情報を受信する申請情報受信手段と、
前記受信した申請情報を前記管理している申請情報に新規登録する新規登録手段と、
前記受信した申請情報が前記管理されている申請情報と重複しているかいなかを判定する重複判定手段と、
前記重複判定手段が重複していると判定された場合には、前記管理されている申請情報と重複している申請情報を表示する画面を、前記店舗端末に表示指示する重複情報表示指示手段と、
を備えることを特徴とする登記簿管理サーバ。
【請求項２】
前記登記簿管理サーバは、前記管理している申請情報に対応する登記簿原本の取得を行う取得端末と通信可能に接続され、
前記登記簿管理サーバは、
前記取得端末に登記簿原本の取得を通知するべく、前記登録された申請情報を前記取得端末に送信する申請情報送信手段と、
をさらに備えることを特徴とする請求項１に記載の登記簿管理サーバ。
【請求項３】
前記登記簿管理サーバは、
前記取得端末により取得された登記簿原本が前記登記簿管理サーバに登録された登録日を管理する登記簿原本管理手段と、
前記店舗端末から、前記取得端末により取得された登記簿原本の表示要求を受け付ける受付手段と、
前記受け付けた登記簿原本の登録日を参照し、前記受け付けた登記簿原本が有効期限切れであるかいなかを判定する有効期限判定手段と、
前記店舗端末に、前記受け付けた登記簿原本とともに、前記受け付けた登記簿原本が期限切れあること識別可能な情報を表示指示する期限切れ情報表示指示手段と、
をさらに備えることを特徴とする請求項２に記載の登記簿管理サーバ。
【請求項４】
前記登記簿管理サーバは、
前記管理する申請情報が、前記取得端末へ申請中であるかいなかを識別可能に記憶し、
前記重複していると判定された申請情報が申請中であるかいなかを判定する申請状況判定手段と、
をさらに備え、
前記申請状況判定手段により申請中であると判定された申請情報を、前記申請情報送信手段が前記取得端末に送信しないことを特徴とする請求項２または請求項３に記載の登記簿管理サーバ。
【請求項５】
前記登記簿管理サーバは、
前記管理する申請情報と、前記登記簿管理サーバに取得申請した店舗端末とを対応づけた申請店舗端末データを記憶する記憶手段と、
前記取得端末から前記管理する申請情報に該当する登記簿原本を受け付けた場合には、前記取得申請した店舗端末に、登記簿原本が前記登記簿管理サーバに登録されたことを通知する登録通知手段と、
をさらに備えることを特徴とする請求項２乃至請求項４のいずれか１項に記載の登記簿管理サーバ。
【請求項６】
前記登記簿管理サーバは、
前記管理する申請情報と、前記登記簿管理サーバに取得申請した店舗端末ではない他の店舗端末を対応づけた通知店舗端末データを記憶する記憶手段と、
前記取得端末から前記管理する申請情報に該当する登記簿原本を受け付けた場合には、前記取得申請した店舗端末と同様に、登記簿原本が前記登記簿管理サーバに登録されたことを、前記他の店舗端末に通知する登録通知するかいなかを判定するべく、前記通知店舗端末データを参照する参照手段と、
をさらに備えることを特徴とする請求項５に記載の登記簿管理サーバ。
【請求項７】
前記取得端末は外部のＷＥＢサイトから登記簿原本の取得を行うことを特徴とする請求項２乃至請求項６のいずれか１項に記載の登記簿管理サーバ。
【請求項８】
店舗端末から取得申請され、登記簿を取得するために申請中である申請情報を管理する登記簿管理サーバの制御方法であって、
前記登記簿管理サーバの申請情報受信手段が、前記店舗端末から、該取得申請する申請情報を受信する申請情報受信工程と、
前記登記簿管理サーバの新規登録手段が、前記受信した申請情報を前記管理している申請情報に新規登録する新規登録工程と、
前記登記簿管理サーバの重複判定手段が、前記受信した申請情報が前記管理されている申請情報と重複しているかいなかを判定する重複判定工程と、
前記登記簿管理サーバの重複情報表示指示手段が、前記重複判定工程が重複していると判定された場合には、前記管理されている申請情報と重複している申請情報を表示する画面を、前記店舗端末に表示指示する重複情報表示指示工程と、
を含むことを特徴とする制御方法。
【請求項９】
店舗端末から取得申請され、登記簿を取得するために申請中である申請情報を管理する登記簿管理サーバで読み取り実行可能なプログラムであって、
前記登記簿管理サーバを、
前記店舗端末から、該取得申請する申請情報を受信する申請情報受信手段と、
前記受信した申請情報を前記管理している申請情報に新規登録する新規登録手段と、
前記受信した申請情報が前記管理されている申請情報と重複しているかいなかを判定する重複判定手段と、
前記重複判定手段が重複していると判定された場合には、前記管理されている申請情報と重複している申請情報を表示する画面を、前記店舗端末に表示指示する重複情報表示指示手段と、
して機能させることを特徴とするプログラム。
【手続補正２】
【補正対象書類名】明細書
【補正対象項目名】発明の名称
【補正方法】変更
【補正の内容】
【発明の名称】登記簿管理サーバ及び制御方法、プログラム。
【手続補正３】
【補正対象書類名】明細書
【補正対象項目名】０００１
【補正方法】変更
【補正の内容】
【０００１】
登記簿管理サーバ及び制御方法、プログラムに関する。
【手続補正４】
【補正対象書類名】明細書
【補正対象項目名】０００８
【補正方法】変更
【補正の内容】
【０００８】
本願発明は、上記の課題を解決するために、店舗ごとに登記簿を取得する場合に無駄な費用を低減させる仕組みを提供することを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本願発明は、店舗端末から取得申請され、登記簿を取得するために申請中である申請情報を管理する登記簿管理サーバであって、前記店舗端末から、該取得申請する申請情報を受信する申請情報受信手段と、前記受信した申請情報を前記管理している申請情報に新規登録する新規登録手段と、前記受信した申請情報が前記管理されている申請情報と重複しているかいなかを判定する重複判定手段と、前記重複判定手段が重複していると判定された場合には、前記管理されている申請情報と重複している申請情報を表示する画面を、前記店舗端末に表示指示する重複情報表示指示手段と、を備えることを特徴とする。
【手続補正８】
【補正対象書類名】明細書
【補正対象項目名】００１２
【補正方法】変更
【補正の内容】
【００１２】
また、前記登記簿管理サーバは、前記管理している申請情報に対応する登記簿原本の取得を行う取得端末と通信可能に接続され、前記登記簿管理サーバは、
前記取得端末に登記簿原本の取得を通知するべく、前記登録された申請情報を前記取得端末に送信する申請情報送信手段と、をさらに備えることを特徴とする。
【手続補正９】
【補正対象書類名】明細書
【補正対象項目名】００１３
【補正方法】変更
【補正の内容】
【００１３】
また、前記登記簿管理サーバは、前記取得端末により取得された登記簿原本が前記登記簿管理サーバに登録された登録日を管理する登記簿原本管理手段と、前記店舗端末から、前記取得端末により取得された登記簿原本の表示要求を受け付ける受付手段と、前記受け付けた登記簿原本の登録日を参照し、前記受け付けた登記簿原本が有効期限切れであるかいなかを判定する有効期限判定手段と、前記店舗端末に、前記受け付けた登記簿原本とともに、前記受け付けた登記簿原本が期限切れあること識別可能な情報を表示指示する期限切れ情報表示指示手段と、をさらに備えることを特徴とする。
【手続補正１０】
【補正対象書類名】明細書
【補正対象項目名】００１４
【補正方法】変更
【補正の内容】
【００１４】
また、前記登記簿管理サーバは、前記管理する申請情報が、前記取得端末へ申請中であるかいなかを識別可能に記憶し、前記重複していると判定された申請情報が申請中であるかいなかを判定する申請状況判定手段と、をさらに備え、前記申請状況判定手段により申請中であると判定された申請情報を、前記申請情報送信手段が前記取得端末に送信しないことを特徴とする。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
本願発明により、上記の課題を解決するために、店舗ごとに登記簿を取得する場合に無駄な費用を低減させる仕組みを提供する事が可能となる。